(57)【特許請求の範囲】
【請求項１】
加圧空気溶解水を混入した汚泥水を導入する汚泥槽と、加圧空気と混和され、浮上した汚泥を汚泥槽内において凝集させる浮上汚泥凝集手段と、汚泥水の液面上に配設され、濃縮、堆積した汚泥を撥ね飛ばし脱気するための回転翼とを備えることを特徴とする汚泥濃縮装置。
【請求項２】
前記汚泥槽を、有底円筒形状の沈殿汚泥槽と、この沈殿汚泥槽に内嵌される有蓋円筒形状の浮上汚泥槽とにより構成し、前記沈殿汚泥槽には沈殿汚泥を排出するための沈殿汚泥排出管を接続し、また、前記浮上汚泥槽には脱気された汚泥を排出するための濃縮汚泥排出管を接続してなる請求項１に記載の汚泥濃縮装置。
【請求項３】
前記浮上汚泥凝集手段を、上下部が開放された汚泥ガイド板により構成し、この汚泥ガイド板は、その下端部を前記濃縮汚泥排出管の下端部より下側に位置する汚泥槽の内壁に固定、封止すると共に、その上端部を前記汚泥水の液面レベルより上に位置する浮上汚泥槽の内部に配設してなる請求項１または請求項２に記載の汚泥濃縮装置。
【請求項４】
前記浮上汚泥槽の上部に、前記回転翼を回転駆動させるためのモータを載置してなる請求項１ないし請求項３のいずれかに記載の汚泥濃縮装置。
【請求項５】
前記沈殿汚泥槽に、前記モータにより回転駆動され、沈殿汚泥槽の内壁に沿って移動して、当該沈殿汚泥槽に付着した沈殿汚泥を掻き取る沈殿汚泥用スクレーパを設けてなる請求項２ないし請求項４のいずれかに記載の汚泥濃縮装置。
【請求項６】
前記浮上汚泥槽に、前記モータにより回転駆動され、浮上汚泥槽の内壁に沿って移動して、当該浮上汚泥槽に付着した濃縮汚泥を掻き取る濃縮汚泥用スクレーパを設けてなる請求項２ないし請求項４のいずれかに記載の汚泥濃縮装置。
【請求項７】
前記汚泥ガイド板に、前記モータにより回転駆動され、汚泥ガイド板の内壁に沿って移動して、当該汚泥ガイド板に付着した浮上汚泥を掻き取る浮上汚泥用スクレーパを設けてなる請求項２ないし請求項４のいずれかに記載の汚泥濃縮装置。
【請求項８】
前記沈殿汚泥槽と浮上汚泥槽との間に、外部に分離水を排出するための通路を形成してなる請求項２ないし請求項７のいずれかに記載の汚泥濃縮装置。
【請求項９】
前記回転翼、濃縮汚泥用スクレーパ、浮上汚泥用スクレーパおよび沈澱汚泥用スクレーパは１台のモータの回転軸に取り付けられ、それぞれ異なる回転数で回転が可能となっていることを特徴とする請求項２ないし請求項７のいずれかに記載の汚泥濃縮装置。
【請求項１０】
加圧空気溶解水を作用させた汚泥水を汚泥槽内に噴出させる噴出口近傍に、前記汚泥水の流れを上部方向に導くための流れ方向規制部材を設けたことを特徴とする請求項１ないし請求項９のいずれかに記載の汚泥濃縮装置。
【請求項１１】
前記流れ方向規制部材は前記噴出口を囲む、上部が開口し、周側面および底面が閉塞された円筒形状の部材であることを特徴とする請求項１ないし請求項９のいずれかに記載の汚泥濃縮装置。
【発明の詳細な説明】
【０００１】
【発明の属する技術分野】
本発明は下水中の汚泥を濃縮する装置に係り、特に汚泥に加圧微細気泡を付着させることにより汚泥を加圧浮上させて濃縮する加圧浮上式汚泥濃縮装置に関するものである。
【０００２】
【従来の技術】
図７は従来の加圧浮上式汚泥濃縮装置の一例を示すフロー説明図である。まず処理する原汚泥が、原汚泥貯留タンク２１からポンプにより流入管２６を通って汚泥濃縮装置２３の汚泥槽２４内に送り込まれる。このとき、流入管２６途中に加圧空気溶解水タンク２２から圧縮空気を溶解した加圧空気溶解水が供給路２７より送り込まれ、原汚泥と混合される。汚泥槽２４内において、汚泥には加圧空気溶解水中の微細気泡が付着し、この微細気泡の浮力により浮上汚泥２８となって浮上する。浮上汚泥２８は汚泥水面上部で堆積、濃縮し、汚泥水面上部に設けられた、エンドレスチェーン等に取り付けられた掻取り板２５ａを有する濃縮汚泥掻取り機２５によって矢印方向に定期的に掻き取られる。掻き取られた浮上汚泥２８は、脱気槽２９に送られ、攪拌翼２９ａにより一定時間攪拌されて、付着した気泡を分離する、いわゆる脱気処理を行った後、濃縮汚泥として回収される。微細気泡が付着しなかった汚泥や比重の大きい汚泥は沈澱汚泥となって汚泥槽２４の底部に設けた沈澱汚泥掻き寄せ機３０により掻き寄せられ、回収される。また、これら浮上汚泥、沈澱汚泥から分離した加圧空気溶解水は分離水として回収される。
【０００３】
【発明が解決しようとする課題】
上記の従来の汚泥濃縮装置では、以下の課題を有していた。
（１）濃縮汚泥掻取り機２５による濃縮汚泥の掻き取り速度は濃縮汚泥に攪拌作用を起こさないような速度（例えば６０ｃｍ／分程度）でなければならない。なぜなら汚泥水面上に堆積、濃縮された濃縮汚泥のうち、最も汚泥濃度が高いのは最上部の濃縮汚泥であり、この最上部の濃縮汚泥を掻き取るときに乱れが生じるとその下層の濃度の低い濃縮汚泥と混合してしまい、回収する濃縮汚泥の濃度が低くなってしまうからである。この掻き取り速度を速くすると、汚泥の処理時間は短くなるが、掻き取られる濃縮汚泥に乱れが生じ易くなり、回収される濃縮汚泥の濃度は低くなり、逆に分離水中の汚泥濃度は高くなってしまう。また、速度を遅くすると汚泥の処理時間は長くなり、また浮上汚泥の堆積量が多くなるため装置規模の大きいものが必要となる。その時々の原汚泥の濃度、状態は異なるためこの掻き取り速度値の決定は非常に困難なものとなっている。
（２）掻取り板２５ａの汚泥水面に対する高さ方向の位置は、汚泥水面に近づけた方が一度に掻き取る濃縮汚泥量が多くなり効率的であるが、大量の浮上汚泥を掻き取る間に汚泥が攪拌されてしまうため、前記同様、回収される汚泥の濃度が低くなってしまう。この掻取り板２５ａの位置設定も非常に困難なものとなる。
（３）浮上汚泥を掻き取った後に，攪拌、脱気処理工程（２９）に回すので，いわゆる汚泥の濃縮フロー効率が悪いものとなっている。
（４）汚泥濃縮装置２３内に流入した汚泥は、汚泥槽２４の内壁に容易に付着、積層するために、頻繁に汚泥槽２４の内壁を清掃する必要があった。
【０００４】
本発明は上述の課題を解消するために創案されたものであり、簡単な構造で、濃縮汚泥を高濃度で回収でき、また濃縮汚泥中の微細気泡を取り除くいわゆる脱気処理を同時に行え、さらに頻繁に汚泥槽の内壁の清掃を行う必要のない汚泥濃縮装置を提供することを目的としている。
【０００５】
【課題を解決するための手段】
本発明は前記の目的を達成するために以下の手段を用いた。
まず、濃縮汚泥を高濃度で回収し、また同時に濃縮汚泥の脱気を行うための手段として、加圧空気溶解水を混入した汚泥水を導入する汚泥槽と、加圧空気と混和され、浮上した汚泥を汚泥槽内において凝集させる浮上汚泥凝集手段と、汚泥水の液面上に配設され、濃縮、堆積した汚泥を撥ね飛ばし脱気するための回転翼とを設けた。また、前記汚泥槽を、有底円筒形状の沈殿汚泥槽と、この沈殿汚泥槽に内嵌される有蓋円筒形状の浮上汚泥槽とにより構成し、前記沈殿汚泥槽には沈殿汚泥を排出するための沈殿汚泥排出管を接続し、また、前記浮上汚泥槽には脱気された汚泥を排出するための濃縮汚泥排出管を接続した。さらに、前記浮上汚泥凝集手段を、上下部が開放された汚泥ガイド板により構成し、この汚泥ガイド板は、その下端部を前記濃縮汚泥排出管の下端部より下側に位置する汚泥槽の内壁に固定、封止すると共に、その上端部を前記汚泥水の液面レベルより上に位置する浮上汚泥槽の内部に配設した。また、前記浮上汚泥槽の上部に、前記回転翼を回転駆動させるためのモータを載置した。
【０００６】
また、汚泥槽内壁清掃の頻度低減のための手段として、前記沈殿汚泥槽に、前記モータにより回転駆動され、沈殿汚泥槽の内壁に沿って移動して、当該沈殿汚泥槽に付着した沈殿汚泥を掻き取る沈殿汚泥用スクレーパを設けた。また、前記浮上汚泥槽に、前記モータにより回転駆動され、浮上汚泥槽の内壁に沿って移動して、当該浮上汚泥槽に付着した濃縮汚泥を掻き取る濃縮汚泥用スクレーパを設けた。さらに、前記汚泥ガイド板に、前記モータにより回転駆動され、汚泥ガイド板の内壁に沿って移動して、当該汚泥ガイド板に付着した浮上汚泥を掻き取る浮上汚泥用スクレーパを設けた。
そして、装置全体を部品点数の少ない簡単な構造とするため、前記沈殿汚泥槽と浮上汚泥槽との間に、外部に分離水を排出するための通路を形成するように構成した。さらに、前記回転翼、濃縮汚泥用スクレーパ、浮上汚泥用スクレーパおよび沈澱汚泥用スクレーパを１台のモータの回転軸に取り付け、それぞれ異なる回転数で回転が可能となるようにした。
【０００７】
また、浮上汚泥の浮上効率を上げる目的のため、加圧空気溶解水を作用させた汚泥水を汚泥槽内に噴出させる噴出口近傍に、前記汚泥水の流れを上部方向に導くための流れ方向規制部材を設けた。特に、この流れ方向規制部材を前記噴出口を囲む、上部が開口し、周側面および底面が閉塞された円筒形状の部材とした。
【０００８】
【発明の実施の形態】
本発明の実施の形態を図面を参照して説明する。図１の（ａ）および（ｂ）は本発明に係る汚泥濃縮装置の上面図および側面図、図２は図１におけるＡ−Ａ断面図、図３は図１におけるＢ−Ｂ断面図、図４は図１におけるＣ−Ｃ断面図、図５は汚泥濃縮装置の全体斜視図、図６の（ａ）は同要部説明図であり、（ｂ）は他の実施形態における一部説明図である。
これらの図中，符号１は汚泥濃縮装置を示す。この汚泥濃縮装置１は、処理する原汚泥を圧縮空気を水に溶解した加圧空気溶解水と共に噴出口１０ａから取り込み、汚泥槽１８内部で汚泥を浮上、濃縮させ、その濃縮汚泥を濃縮汚泥排出管９へ、沈澱汚泥は沈澱汚泥排出管４へ、浮上または沈澱した汚泥から分離した分離水を分離水排出管７へ、それぞれ排出させるものである。
【０００９】
汚泥槽１８は、２つの筐体部材である沈澱汚泥槽２および浮上汚泥槽３により構成される。
沈澱汚泥槽２は上部が開口した有底円筒形状の部材で、その下方部において下部が狭まったテーパ形状を成し、底部において再び径の小さい円筒形状を形成している。この底部円筒部の側壁には沈澱汚泥を排出させるための孔２ａが穿設され、沈澱汚泥排出管４が接続されている。沈澱汚泥槽２の上縁周囲には、分離水がその上縁から溢れ出たときの受けとして、断面Ｌ字状の分離水受枠５が全周にわたって取り付けられている。この分離水受枠５の一部は筐体６を形成しており、その底部には孔６ａが穿設され、分離水排出管７が接続されている。
【００１０】
浮上汚泥槽３は、下部が開口した有蓋円筒形状の部材であり、その外径は分離水の通路１９を形成する程度に沈澱汚泥槽２の内径よりも小さい寸法で、固定部材（図示せず）により、沈澱汚泥槽２の内側に同心円状に内嵌、固定されている。浮上汚泥槽３の側壁には、脱気された汚泥を排出するための孔３ａが穿設され、濃縮汚泥排出管９が接続されている。濃縮汚泥排出管９は、沈澱汚泥槽２の側壁に穿設された孔２ｂを貫通し（その接触部位は溶接等により封止され）、次処理工程に続いている。
【００１１】
そして、浮上汚泥槽３の内部には、浮上汚泥凝集手段としての上下部が開放された円錐台形状の汚泥ガイド板８が配設される。この汚泥ガイド板８は、浮上汚泥を上方向に導き凝集させるため、および後述する回転翼１６により撥ね飛ばされ、脱気された濃縮汚泥と前記浮上汚泥とを隔離させるためのものであり、その下端部は濃縮汚泥排出管９の下端部より下側に位置する浮上汚泥槽３の内壁に固定、封止されている。汚泥ガイド板８の上部は、その全周にわたって鉛直に立ち上がるつば部８ａを形成している。このつば部８ａは、図２および図６（ａ）に示すように汚泥濃縮装置１内に流入された汚泥水の液面レベル（Ｗ．Ｌ．）よりやや上に位置するように立ち上げてあり、液面上に凝集された浮上汚泥を堆積、濃縮させておくためのものである。
【００１２】
濃縮汚泥排出管９と対向する側で汚泥ガイド板８の下端部から下に位置する沈澱汚泥槽２および浮上汚泥槽３の側壁には、それぞれ孔２ｃ、３ｂ（図２）が穿設され、これらの孔２ｃ、３ｂに、加圧空気溶解水が混合された原汚泥が流れる汚泥流入管１０が貫通し（その接触部位は溶接等により封止され）、汚泥濃縮装置１内部中央付近まで延出し、その先端を噴出口１０ａとしている。この汚泥流入管１０は、原汚泥が貯留されている原汚泥タンク（図示せず）からポンプによって原汚泥を送る原汚泥流入管１０ｂと、これに分岐接続され、原水に圧縮空気を高濃度で溶解した加圧空気溶解水をポンプにより送る加圧空気溶解水流入管１０ｃとからなる。
【００１３】
沈澱汚泥槽２の内部には、汚泥流入管１０の噴出口１０ａから噴出する汚泥水の流れを上方向に導く流れ方向規制部材１１を配設する。流れ方向規制部材１１は、沈澱汚泥槽２と同一軸線上に設けた，上部が開口し，周側面および底面が閉塞された有底円筒形状の部材であり、その内方に噴出口１０ａが臨むように、側壁に穿設された孔に汚泥流入管１０を貫通しており、その接触部位は溶接等により封止、固定されている。また、流れ方向規制部材１１の底面中央には後述するモータ１２に取り付けられたシャフト１２ａが貫通できるように孔が穿設されている。
【００１４】
浮上汚泥槽３の上面の中心部にはモータ１２が載置され、このモータ１２に、図示しない変速機によってそれぞれ回転数を調整し得る第１、第２および第３の３つのシャフト１２ａ、１２ｂ、１２ｃを取り付ける。第１のシャフト１２ａは下方に伸び、前述の流れ方向規制部材１１の底面に穿設された孔を貫通して沈澱汚泥槽２の底面に支承された軸受１３に挿嵌している。これら回転数の異なる３つのシャフトにはそれぞれの目的を持った羽状の部材が取り付けられている。
【００１５】
まず、第１のシャフト１２ａには上側と下側にそれぞれ複数本、本形態では４本のブラケット１４ａ、１５ａがシャフト１２ａに対して直角に、そして互いに同一角度となるように放射状に取り付けられている。上側のブラケット１４ａの先端には、それぞれ汚泥ガイド板８の内壁に沿う形状および長さ寸法の板状部材からなる浮上汚泥用スクレーパ１４が、また、下側のブラケット１４ｂの先端には、それぞれ沈澱汚泥槽２のテーパ部の内壁に沿う形状および長さ寸法の板状部材からなる沈澱汚泥用スクレーパ１５が取り付けられている。第１のシャフト１２ａを回転させることにより、浮上汚泥用スクレーパ１４は汚泥ガイド板８の内壁に付着した浮上汚泥をその回転により汚泥ガイド板８の内壁に沿って移動し掻き取る。この浮上汚泥用スクレーパ１４は図３に示すように、その回転方向側を汚泥ガイド板８の内壁に接するか、僅かの間隙（数ｍｍ程度）を形成するように近接して、汚泥ガイド板８の横断面円の接線方向に対して所定角度を成すようにブラケット１４ａに取り付けられている。
一方、沈澱汚泥用スクレーパ１５は沈澱汚泥槽２のテーパの形成された内壁に付着した沈澱汚泥をその回転により内壁に沿って移動し掻き取る。この沈澱汚泥用スクレーパ１５は、浮上汚泥用スクレーパ１４と同様に、回転方向側を沈澱汚泥槽２のテーパ内壁に接するか，僅かの間隙を形成するように近接して、テーパ内壁の横断面円接線方向に対して所定角度を成すようにブラケット１５ａに取り付けられている。
シャフト１２ａの周辺速度は高速にすると浮上汚泥用スクレーパ１４および沈澱汚泥用スクレーパ１５によって掻き取られた汚泥が槽内で攪乱してしまうので適切ではなく、およそ２〜３ｍ／分以下の低速回転が望ましい。
本形態では、浮上汚泥用スクレーパおよび沈澱汚泥用スクレーパを同じシャフトに取り付けたが、もちろんシャフトをもう１つ設けて、別々の回転数とした仕様にしてもよい。
【００１６】
次に、第２のシャフト１２ｂには複数枚、本形態では４枚の矩形板状部材の回転翼１６がシャフト１２ｂに対して直角に、そして互いに同一角度となるように放射状に取り付けられている。第２のシャフト１２ｂを回転させることにより、この回転翼１６は回転し、汚泥ガイド板８のつば部８ａ内に堆積された濃縮汚泥を浮上汚泥槽３の内壁に向かって撥ね飛ばして、脱気するものである。浮上汚泥を効率よく撥ね飛ばし、脱気するために、回転翼１６の先端から、１８０度反対に位置する回転翼１６の先端までの寸法（図６（ａ）におけるＬ寸法）はつば部８ａの径と略同一寸法であり、また回転翼１６の下縁とつば部８ａの上縁の間隙寸法（図６（ａ）におけるＨ寸法）は０〜数ｍｍ程度である。
また気泡の付着している濃縮汚泥の脱気は、回転翼１６との衝突力、および回転翼１６の回転に対して接線方向に跳ねとばされたときの浮上汚泥槽３の内壁に対する衝突力により左右されるので、その衝突力を大きくすべくシャフト１２ｂの回転速度は１００ｒｐｍ以上の高速回転が望ましい。
【００１７】
第３のシャフト１２ｃには複数本、本形態では４本のブラケット１７ａがシャフト１２ｃに対して直角に、そして互いに直角に放射状に取り付けられている。ブラケット１７ａの先端には、それぞれ浮上汚泥槽３の内壁に沿う形状で、かつ、浮上汚泥槽３の内壁上端から既述の濃縮汚泥排出管９の開口部上縁近傍までの長さ寸法の矩形板状部材からなる濃縮汚泥用スクレーパ１７が取り付けられている。第３のシャフト１２ｃを回転することにより、この濃縮汚泥用スクレーパ１７は、浮上汚泥槽３の上部内壁に付着した濃縮汚泥（前記回転翼１６により脱気された汚泥）をその回転により浮上汚泥槽３の内壁に沿って移動し掻き取る。図４に示すように、濃縮汚泥用スクレーパ１７は回転方向側を浮上汚泥槽３の内壁に接するか，僅かの間隙（数ｍｍ程度）を形成するように近接して、浮上汚泥槽３の横断面円の接線方向に対して所定角度を成すようにブラケット１７ａに取り付けられている。
濃縮汚泥用スクレーパ１７は濃縮汚泥を掻き落とすだけなので高速回転である必要はなく、回転翼１６により撥ね飛ばされ浮上汚泥槽３に付着する濃縮汚泥の量にもよるが、シャフト１２ｃの周辺速度は２〜３ｍ／分以下の低速回転が望ましい。
【００１８】
次に、本装置の作用について説明する。
処理する原汚泥が貯留された原汚泥タンクからポンプによって原汚泥が原汚泥流入管１０ｂ内を流れる。一方、原水に圧縮空気が高濃度に溶解した加圧空気溶解水が貯留された加圧空気溶解水タンクからポンプによって加圧空気溶解水が空気溶解水流入管１０ｃ内を流れる。両者は、両管の接続部で混合し、噴出口１０ａから汚泥水として汚泥濃縮装置１内部へと噴出する。噴出した汚泥水はまず、流れ方向規制部材１１の内壁に衝突する。流れ方向規制部材１１の下面は閉塞されているので汚泥水は流れ方向規制部材１１の内壁に沿って上方向へと流れを変える。また、汚泥水中の原汚泥には、槽内において、大気圧下で加圧空気溶解水から発生する微細気泡が付着する。原汚泥は付着した微細気泡の浮力により浮上汚泥となって浮上する。
ここで微細気泡と付着しなかった汚泥成分は沈澱汚泥となって沈降する。沈澱汚泥槽２のテーパ内壁に沈降した沈澱汚泥は、テーパ内壁に沿って回転移動する沈澱汚泥用スクレーパ１５によって掻き取られる。沈澱汚泥用スクレーパ１５は低速度で掻き取りを行うため、沈澱汚泥は汚泥水内で攪拌されることなく沈澱汚泥槽２の底部へと沈澱していく。そして、沈澱汚泥排出管４を介して沈澱汚泥処理工程へと搬送される。また、浮上汚泥および沈澱汚泥が分離した後の余剰の加圧空気溶解水は、分離水として、沈澱汚泥槽２の内壁と浮上汚泥槽３の外壁との間に形成された通路１９を通って沈澱汚泥槽２の上縁から溢れ出て分離水受枠５内に流出する。そして、分離水受枠５の一部に形成された筐体６に流れて孔６ａから分離水排出管７を介して分離水処理工程へと排出される。
【００１９】
さて微細気泡の付着した浮上汚泥は、浮上汚泥凝集手段としての汚泥ガイド板８の内側を浮上しながら次第に凝集され、つば部８ａ内において堆積する。浮上途中、汚泥ガイド板８の内壁に付着した浮上汚泥は、その内壁に沿って回転移動する浮上汚泥用スクレーパ１４によって掻き取られる。浮上汚泥用スクレーパ１４は沈澱汚泥用スクレーパ１５と同じ低速度で掻き取りを行うため、浮上汚泥は汚泥水内で攪拌されることなく、再びつば部８ａ付近の汚泥水面に向かって浮上し始める。図６（ａ）に示すように、浮上汚泥の堆積量を多くして汚泥を高濃度に濃縮させるため、汚泥水の液面レベルはつば部８ａの、つば部８ａ立ち上がり近傍に位置している。この液面上まで浮上してきた浮上汚泥は堆積し、次第に濃縮される。そして、この堆積した濃縮汚泥のうち最も汚泥濃度の高い最上部の濃縮汚泥は高速度で回転する回転翼１６によってその回転方向に撥ね飛ばされる。このとき汚泥は回転翼１６との衝突による衝撃力および浮上汚泥槽３の内壁との衝突による衝撃力により容易に脱気される。浮上汚泥槽３の内壁に付着した濃縮汚泥は、浮上汚泥槽３の内壁に沿って回転移動する濃縮汚泥用スクレーパ１７により随時掻き落とされるため壁面で乾燥、固化することがない。そして、掻き取られた濃縮汚泥は浮上汚泥槽３の壁面に穿設された孔３ａを通って濃縮汚泥排出管９へ排出、回収される。
【００２０】
さて、以上説明した本発明に係る汚泥濃縮装置では、モータに取り付けた各羽状部材、回転翼、濃縮汚泥用スクレーパ、浮上汚泥用スクレーパおよび沈澱汚泥用スクレーパを全て４枚ずつとしたが、もちろんこれに限られることなく、１枚としても構わない。通常は２〜４枚である。
なお、図６（ｂ）に示すようにモータ回転軸に対し角度θだけ傾斜させて回転翼をシャフトに取り付ければ、回転翼に衝突した濃縮汚泥は水平方向より常に上方に撥ね飛ばされるため、つば部８ａに堆積した濃縮汚泥に戻されることなく、効率の良い脱気処理が可能となる。
【００２１】
また、流れ方向規制部材１１は上述した円筒形状のものに限られるものでなく、汚泥槽内に流入してくる汚泥水の流れを上部方向に導く態様のものであればよい。
【００２２】
【発明の効果】
上述の構成からなる本発明の汚泥濃縮装置によれば、以下のような効果を奏する。
（１）汚泥水面に堆積、濃縮した汚泥のうち、十分な濃縮がなされた最上部の濃縮汚泥のみを回転翼により高速で撥ね飛ばすため、乱れが生じず、下層の濃度の低い汚泥と混ざることなく、極めて高濃度の濃縮汚泥を回収することができる。
（２）微細気泡の付着した濃縮汚泥の脱気処理を汚泥の濃縮と同時に行うことができるので、脱気処理槽を別個に設ける必要がなくなり、汚泥の濃縮フロー効率が向上する。（３）汚泥槽内壁に付着した濃縮汚泥、浮上汚泥、沈澱汚泥をそれぞれ掻き取るスクレーパを設けたので、汚泥槽内壁の清掃頻度が低減される。
（４）汚泥槽を略円筒形状として、上述の回転翼、各スクレーパを１台のモータにより回転駆動させる構造としたため、コンパクトかつ機器点数の少ない装置が実現される。
（５）汚泥槽内に流入する汚泥水の流れを上部方向に導く流れ方向規制部材を設けたので、汚泥槽内の汚泥水に乱れが生じることがなく、浮上汚泥の浮上効率が上がる。
【図面の簡単な説明】
【図１】（ａ）および（ｂ）は本発明に係る汚泥濃縮装置の上面図および側面図である。
【図２】図１におけるＡ−Ａ断面図である。
【図３】図１におけるＢ−Ｂ断面図である。
【図４】図１におけるＣ−Ｃ断面図である。
【図５】汚泥濃縮装置の全体斜視図である。
【図６】（ａ）は要部説明図であり、（ｂ）は他の実施形態における要部説明図である。
【図７】従来の加圧浮上式汚泥濃縮装置の一例を示すフロー説明図である。
【符号の説明】
１      汚泥濃縮装置
２      沈澱汚泥槽
３      浮上汚泥槽
４      沈澱汚泥排出管
５      分離水受枠
６      筐体
７      分離水排出管
８      汚泥ガイド板
９      濃縮汚泥排出管
１０      汚泥流入管
１０ａ    噴出口
１０ｂ    原汚泥流入管
１０ｃ    空気溶解水流入管
１１      流れ方向規制部材
１２      モータ
１２ａ，１２ｂ，１２ｃ  シャフト
１３      軸受
１４      浮上汚泥用スクレーパ
１４ａ    ブラケット
１５      沈澱汚泥用スクレーパ
１５ａ    ブラケット
１６      回転翼
１７      濃縮汚泥用スクレーパ
１７ａ    ブラケット
１８      汚泥槽
１９      通路
【図１】
0003567392.tif 000002
【図２】
0003567392.tif 000003
【図３】
0003567392.tif 000004
【図４】
0003567392.tif 000005
【図５】
0003567392.tif 000006
【図６】
0003567392.tif 000007
【図７】
0003567392.tif 000008